(57)【特許請求の範囲】
【請求項１】
屋根や壁などの下地材に取り付け、該下地材に飾り用のパネル面を形成するための化粧板において、化粧板を複数の金属板に分割し、各金属板の縁部にうずまき部（４０）（４２）（４４）（４６）（７６）を形成し、隣接配置した前記金属板の中、一方の金属板のうずまき部（４０）（４６）（７６）を、他方の金属板のうずまき部（４４）（４２）（７６）に回転自在に嵌合して、前記複数の金属板を離脱しないように互いに結合し、フラット状態から任意の形状に変形自在としたことを特徴とする建築用変形自在化粧板。
【請求項２】
前記化粧板を互いにうずまき部を介して回転自在に結合する一対の金属板（１０２ａ）（１０２ｂ）（１２８ａ）（１２８ｂ）により構成し、該一対の金属板（１０２ａ）（１０２ｂ）（１２８ａ）（１２８ｂ）を建築物の壁部分と屋根部分の取り合いに配置する水きり（１００）（１２８）として使用するようにしたことを特徴とする請求項１に記載の建築用変形自在化粧板。
【発明の詳細な説明】
【０００１】
【発明の属する技術分野】
本発明はガソリンスタンドなどの吊り屋根や、建築物の壁などの下地材に取り付け、該下地材に飾り用のパネル面を形成するための内・外曲自由自在な建築用変形自在化粧板に関する。
【０００２】
【従来の技術】
図１４は、ガソリンスタンドの吊り屋根を示し、地面から所定の高さにH型鋼などの梁（2）が水平に複数架設され、これらの梁（2）に金属製の屋根板（4）が複数並列に配置され、それぞれ梁（２）に固定されている。梁（２）の端部には、C型鋼から成る壁骨格材（６）が垂直に固定され、該壁骨格材（６）に、C型鋼から成る表装材（８），（１０）が架設されている。前記表装材（８）には、鉄、鋼板などの金属板から成る笠木部材が遊嵌され、ねじによって壁骨格材（６）に固定されている。下部の表装材（１０）には鉄、鋼板などの金属板から成る水切部材（１４）が遊嵌され、ねじによって壁骨格材（６）に固定されている。表装材（８）と（１０）との間には、鉄、鋼板などの金属板から成る幕板（１６）が配置され、該幕板（１６）は、ビスによって前記笠木部材（１２）及び水切部材（１４）の取付片の上から壁骨格材（６）に固定されている。幕板（１６）と笠木部材（１２）及び水切部材（１４）との接合部にはコーキング材（１７）が充填されている。
また、図１５に示すように建築物の壁部分と屋根部分の取り合いに酎置する金属パネルから成る各種角度を有する水きり（１４４）が知られている。
【０００３】
【発明が解決しようとする課題】
上記幕板と笠木部材間、幕板と水切部材間の接続はビスなどのねじによって行なっているため、組み付け作業が容易でなかった。又、幕板と笠木部材及び水切部材との接続部に防水処理を行なう必要があり、そのため、コーキング材を充填する作業が必要とされた。
また、従来の水きりは、建築物の壁部分と屋根部分の勾配に対応して種々の角度に加工した金属パネルを用意する必要がありコスト高となる問題点が存した。
本発明は、壁骨格材などの下地材に幕板などの飾り板を簡単に取り付けることが出来るようにすることを目的とするものである。
また、本発明は、保管、運搬、梱包に便利な化粧板を提供することを目的とするものである。
また、本発明は、種々の角度に対応できる水切りを提供することを目的とするものである。
【０００４】
【問題点を解決する手段】
上記目的を達成するため、本発明は、屋根や壁などの下地材に取り付け、該下地材に飾り用のパネル面を形成するための化粧板において、化粧板を複数の金属板に分割し、各金属板の縁部にうずまき部（４０）（４２）（４４）（４６）（７６）を形成し、隣接配置した前記金属板の中、一方の金属板のうずまき部（４０）（４６）（７６）を、他方の金属板のうずまき部（４４）（４２）（７６）に回転自在に嵌合して、前記複数の金属板を離脱しないように互いに結合し、フラット状態から任意の形状に変形自在としたものである。
更に、本発明は、前記化粧板を互いにうずまき部を介して回転自在に結合する一対の金属板（102a）（102b）（128a）（128b）により構成し、該一対の金属板（102a）（102b）（128a）（128b）を建築物の壁部分と屋根部分の取り合いに配置する水きり（100）（128）として使用するようにしたものである。
【０００５】
【発明の実施の形態】
以下に本発明の構成を添付図面に示す、発明の実施の形態を参照して詳細に説明する。
図１において、（１８）はガソリンスタンドなどの吊屋根を構成する長尺状のＨ型鋼から成る梁であり、地面から所定の高さに、水平方向に複数架設されている。前記梁（１８）には、取付金具（２２）を介して金属製の屋根板（２４）が取り付けられている。（２６）は短尺状のＣ型鋼などから成る壁骨格材であり、前記各梁（１８）の端部に垂直にボルトによって固定されている。前記壁骨格材（２６）の上端には長尺状のＣ型鋼などから成る上部表装材（２８）が溶接などによって水平方向に架設され、壁骨格材（２６）の下端には長尺状のＣ型鋼などから成る下部表装材（３０）が溶接などによって水平方向に架設されている。（３２）は鉄板、銅板等の金属板から成る化粧板であり、取付部（３４）（３６）と中間部（３８）とから構成されている。
【０００６】
前記取付部（３４）（３６）は、前記表装材（２８）（３０）に遊嵌するのに敵した形状に形成され、各々の一方の縁部に取付舌片（３４ａ）（３６ａ）が形成されている。前記取付部（３４）（３６）の他方の縁部には、連結用の一重（一巻）半状のうずまき部（４０）（４２）が形成されている。前記中間部（３８）の上下の縁部には、前記取付部（３４）（３６）のうずまき部（４０）（４２）と回転可能に嵌合可能な一重又は一重半状のうずまき部（４４）（４６）が形成されている。
【０００７】
前記中間部（３８）のうずまき部（４４）（４６）は、中間部（３８）の内側に突出するように形成されている。又、取付部（３４）（３６）のうずまき部（４０）（４２）もそれらの内側に突出するように形成されている。前記中間部（３８）の上部のうずまき部（４４）は、上部取付部（３４）の下部のうずまき部（４０）に回転自在に嵌合し、前記中間部（３８）の下部のうずまき部（４６）は、下部取付部（３６）の上部のうずまき部（４２）に回転自在に嵌合し、これらの嵌合によって、取付部（３４）（３６）と中間部（３８）とは互いに連結している。
【０００８】
前記取付部（３４）は、上部表装材（２８）に遊嵌し、ねじ（４８）によって、壁骨格材（２６）の上部裏側に固定されている。前記取付部（３６）は、上記下部表装材（３０）に遊嵌し、ねじ（５０）によって、壁骨格材（２６）の下部裏側に固定されている。前記中間部（３８）は、壁骨格材（２６）の表面側に対向配置され、該壁骨格材（２６）の表面を覆っている。前記化粧板（３２）の各構成要素の連結は、一対のうずまき部例えば（４０）と（４４）を同軸線上で向き合わせ、該状態で一方のうずまき部（４０）を、他方のうずまき部（４４）にその軸方向に差し込み、両うずまき部（４０）（４４）を回転自在に嵌合させれば良い。
【０００９】
尚、本実施形態では、化粧板（３２）の中間部（３８）を一板の鉄のパネルにより構成したが、図５に示すように複数の鉄、鋼などの金属パネル（５２）（５４）（５６）により構成し、各金属パネル（５２）（５４）（５６）の上下の縁部にうずまき部（５８）（６０）を形成し、これらうずまき部（５８）（６０）を重ね合わせることで、各金属パネル（５２）（５４）（５６）を結合して、中間部（６２）を構成するようにしても良い。又、上記壁骨格材（２６）及び表装材（２８）（３０）は、吊り屋根の下地材を構成している。尚、本発明は、吊り屋根の下地材に特に限定されるものでなく、種々の下地材に応用することが出来る。
【００１０】
次に本発明の他の実施の形態を、図（６）を参照して説明する。
（６４）はガソリンスタンドなどの屋根を構成するためのＨ型鋼から成る梁であり、地面から所定の高さに水平方向に複数架設されている。前記梁（６４）には、金属製の屋根板（６６）が取り付けられている。（６８）は、Ｃ型鋼などから成る壁骨格材であり、前記各梁（６４）の端部に垂直にボルトにより固定されている。前記壁骨格材（６８）の各々の上下端部には、長尺状のＣ型鋼などから成る表装材（７０）（７２）が溶接などによって水平方向に架設されている。前記各壁骨格材（６８）は、点線で示す如く、施工誤差により左右にズレを有して配列され、図（６）では、このズレを誇張して示してある。（７４ａ）（７４ｂ）（７４ｃ）（７４ｄ）（７４ｅ）（７４ｆ）（７４ｇ）（７４ｈ）（７４ｉ）（７４ｊ）は化粧板（７４）の構成要素である金属パネルであり、それぞれ、一巻或いは一巻半のうずまき部（７６）を有し、該うずまき部（７６）によって、化粧板（７４）の各金属パネルは、図（６）（７）に示すように脱着自在且つ互いに回転自在に連結している。化粧板（７４）は、保管時、あるいは運搬、梱包時は、図（７）に示すように、一枚の平板状に展開され、多数重ねて配置されている。
【００１１】
前記化粧板（７４）の金属パネル（７４ａ）は、梁（６４）の下面にねじ（７８）によって固定され、前記金属パネル（７４ｊ）はねじ（８０）によって屋根板（６６）に固定されている。他の各金属パネル（７４ｂ）（７４ｃ）（７４ｄ）（７４ｅ）（７４ｆ）（７４ｇ）（７４ｈ）（７４ｉ）は、図（６）に示すように壁骨格材（６８）を囲う形に屈折されている。（８２）は上部アームであり、両端にＣ型のクリップ（８４）が固着されている。前記アーム（８２）は、表装材（７０）の上面に固定された止め金具（８６）に、ビスによって固定されている。前記クリップ（８４）とアーム（８２）は、化粧板支持具を構成している。（８８）は下部アームであり、これの先端にＣ型のクリップ（８４）が固着されている。前記アーム（８８）は、表装材（７２）の上面に固定された止め金具（９０）にビスによって固定されている。前記各壁骨格材（６８）には、止め金具（９０）が固定され、これらの止め金具（９０）のスライド溝部にアーム（９２）がスライド自在に嵌合し、該アーム（９２）は、ビスによって、止め金具（９０）に固定し得るように構成されている。前記表装材（７０）（７２）に固定された止め金具（８６）（９０）に対しては、アーム（８２）（８８）はビスを緩めることで左右方向にスライド調整可能に構成され、各壁骨格材（６８）に固定される止め金具（９０）に対して、アーム（９２）はビスを緩めることで斜め方向にスライド調整可能に構成されている。クリップ（８４）は、化粧板（７４）の各金属パネルのうずまき部（７６）の連結部に嵌合している。
【００１２】
上記クリップ（８４）はＣ型に形成したものであるが図（９）に示すように、金属の板部材（９４）に一巻状のうずまき部（９４ａ）を形成したものでも良く、このうずまき部（９４ａ）を、図（９）に示すように、化粧板（７４）のうずまき部（７６）に嵌合連結するようにしても良い。
尚、本発明は、図（１０）に示すように、壁面（９６）と、屋根面（９８）との間の種々の勾配に対応した角度が要求される水切り（１００）としても、化粧板（１０２）の金属パネル（１０２ａ）（１０２ｂ）を用いることができる。水切り（１００）は、その角度を任意に調節することが出来る。図中、（１０４）は、屋根の梁、（１０６）は、壁骨格材、（１０８）（１１０）は表装材、（１１２）は、梁（１０４）に取り付けられた屋根板、（１１４）（１１６）（１１８）は、アーム、（１２０）はクリップ、（１２２）は、止め金具である。化粧板（１２４）は、複数の金属パネルにより構成され、各パネルは、各々に形成されたうずまき部を介して互いに連結し、各連結部がクリップ（１２０）に支持されている。図（１２）は、本発明の化粧板を水切りとして利用した実施形態であり、うずまき部（１２６）で連結した化粧板（１２８）の金属パネル（１２８ａ）（１２８ｂ）は、壁部分（１３０）と屋根部分（１３２）との取り合いに屈折配置され、水切りを構成している。図中、（１３４）はタル掛け、（１３６）はタル、（１３８）は野地板、（１４０）は金属屋根板、（１４２）は屋根部分の下地材である。
【００１３】
【効果】
本発明は上述の如く、飾り板を複数の構成要素に分割し、各構成要素をうずまき部によって結合するようにしたので、化粧板の取り付けを簡単に行なうことが出来る。また、化粧板は、内曲、外曲が可能なため、機械加工を用いることなく種々の形状とすることができる。また、フラット形状とすることで、かさばることなく運搬、梱包、保管が可能となり、物流面においてもコストダウンを図ることが可能となる等の効果が存する。
【図面の簡単な説明】
【図１】本発明の正面図である。
【図２】化粧板の上部取付部の外観図である。
【図３】化粧板の下部取付部の外観図である。
【図４】化粧板の中間部の外観図である。
【図５】化粧板の中間部の他の実施形態を示す外観図である。
【図６】本発明の他の実施形態を示す正面図である。
【図７】化粧板の展開状態の側面図である。
【図８】化粧板支持機構の説明的外観図である。
【図９】化粧板支持機構の他の実施形態を示す外観図である。
【図１０】本発明の他の実施形態を示す正面図である。
【図１１】水切りの側面図である。
【図１２】本発明の他の実施形態を示す正面断面図である。
【図１３】水切りの側面図である。
【図１４】従来技術の正面図である。
【図１５】従来技術の説明図である。
【符号の説明】
２      梁
４      屋根板
６      壁骨格材
８      表装材
１０    表装材
１２    笠木部材
１４    水切部材
１６    コーキング材
１８    梁
２０    吊り屋根
２２    取付金具
２４    屋根板
２６    壁骨格材
２８    上部表装材
３０    下部表装材
３２    飾り板
３４    取付部
３６    取付部
３８    中間部
４０    うずまき部
４２    うずまき部
４４    うずまき部
４６    うずまき部
４８    ねじ
５０    ねじ
５２    金属パネル
５４    金属パネル
５６    金属パネル
５８    うずまき部
６０    うずまき部
６２    中間部
６４    梁
６６    屋根板
６８    壁骨格材
７０    表装材
７２    表装材
７４    化粧板
７６    うずまき部
７８    ねじ
８０    ねじ
８２    上部アーム
８４    クリップ
８６    止め金具
８８    下部アーム
９０    止め金具
９２    アーム
９４    板部材
９４ａ  うずまき部
９６    壁面
９８    屋根面
１００  水切り
１０２  化粧板
１０４  梁
１０６  壁骨格材
１０８  表装材
１１０  表装材
１１２  屋根板
１１４  アーム
１１６  アーム
１１８  アーム
１２０  クリップ
１２２  止め金具
１２４  化粧板
１２６  うずまき部
１２８  化粧板
１２８ａ  金属パネル
１２８ｂ  金属パネル
１３０  壁部分
１３２  屋根部分
１３４  タル掛け
１３６  タル
１３８  野地板
１４０  金属屋根板
１４２  下地材
１４４  水切り
【図１】
0003762815.tif 000002
【図２】
0003762815.tif 000003
【図３】
0003762815.tif 000004
【図４】
0003762815.tif 000005
【図５】
0003762815.tif 000006
【図６】
0003762815.tif 000007
【図７】
0003762815.tif 000008
【図８】
0003762815.tif 000009
【図９】
0003762815.tif 000010
【図１０】
0003762815.tif 000011
【図１１】
0003762815.tif 000012
【図１２】
0003762815.tif 000013
【図１３】
0003762815.tif 000014
【図１４】
0003762815.tif 000015
【図１５】
0003762815.tif 000016